(57)【要約】コンクリート・ポンプ・ユニットの据付構造体およびコンクリートポンプ装置が開示される。コンクリート・ポンプ・ユニットは、一対の液圧シリンダ（１００）と、一対の液圧シリンダ（１００）に接続された一対のコンクリート配送シリンダ（２００）と、一対のコンクリート配送シリンダ（２００）の吐出端に位置するホッパ（３００）とを備える。据付構造体は、コンクリート・ポンプ・ユニットを取り付けるための基礎フレーム（４００）を備える。コンクリート・ポンプ・ユニットは、コンクリート・ポンプ・ユニットが一対の液圧シリンダ（１００）から一対のコンクリート配送シリンダ（２００）の吐出端まで次第に高くなるように配置される。ホッパ（３００）内のコンクリートは、ホッパ（３００）から該当するコンクリート配送シリンダ（２００）に入るときにコンクリート配送シリンダ（２００）によって吸い込まれるが、コンクリート・ポンプ・ユニットの配置によってもたらされるそれ自身の重力をも利用することができる。それにより、コンクリート配送シリンダ（２００）へのコンクリートの吸引効率が向上する。【選択図】図１
2015502477.tif 000002
【特許請求の範囲】
【請求項１】
コンクリート・ポンプ・ユニットの据付構造体であって、
前記コンクリート・ポンプ・ユニットは、一対の液圧シリンダ（１００）と、前記一対の液圧シリンダ（１００）に接続された一対のコンクリート配送シリンダ（２００）と、前記一対のコンクリート配送シリンダ（２００）の吐出端に位置するホッパ（３００）とを備え、
前記据付構造体は、前記コンクリート・ポンプ・ユニットを取り付けるための基礎フレーム（４００）を備え、
前記コンクリート・ポンプ・ユニットは、前記コンクリート・ポンプ・ユニットが前記一対の液圧シリンダ（１００）から前記一対のコンクリート配送シリンダ（２００）の前記吐出端まで次第に高くなるように配置される
据付構造体。
【請求項２】
前記一対のコンクリート配送シリンダ（２００）の中心軸によって規定される平面（Ｍ）と、前記基礎フレーム（４００）の長手方向（Ｓ）とが成す夾角αが２°から４５°である
請求項１に記載の据付構造体。
【請求項３】
前記一対のコンクリート配送シリンダ（２００）の前記中心軸によって規定される前記平面（Ｍ）と、前記基礎フレーム（４００）の前記長手方向（Ｓ）とが成す前記夾角αが５°から２０°である
請求項２に記載の据付構造体。
【請求項４】
角度調節機構をさらに備え、
前記コンクリート・ポンプ・ユニットは、前記一対のコンクリート配送シリンダ（２００）の前記中心軸によって規定される前記平面（Ｍ）と、前記基礎フレーム（４００）の前記長手方向（Ｓ）とが成す前記夾角αが調節可能となるように、前記角度調節機構を介して前記基礎フレーム（４００）に取り付けられる
請求項２または３に記載の据付構造体。
【請求項５】
前記角度調節機構はヒンジピン（４０１）と制限装置とを備え、
前記一対のコンクリート配送シリンダ（２００）の前記吐出端は、前記ヒンジピン（４０１）を介して前記基礎フレーム（４００）に蝶番式に取り付けられ、
前記制限装置は、前記コンクリート・ポンプ・ユニットと前記基礎フレーム（４００）の互いに対する相対位置を制限するように前記コンクリート・ポンプ・ユニットと前記基礎フレーム（４００）との間に接続される
請求項４に記載の据付構造体。
【請求項６】
前記制限装置は前記基礎フレーム（４００）に蝶番式に取り付けられた調節シリンダを備え、前記調節シリンダはピストン棒を有し、前記ピストン棒の一端は前記コンクリート・ポンプ・ユニットに蝶番式に取り付けられている
請求項５に記載の据付構造体。
【請求項７】
前記コンクリート・ポンプ・ユニットは前記一対の液圧シリンダ（１００）と前記一対のコンクリート配送シリンダ（２００）との間に設置される貯水タンク（５００）を備え、
前記制限装置は前記基礎フレーム（４００）に固定された据付板（４０２）を備え、
前記コンクリート・ポンプ・ユニットは前記据付板（４０２）を通って伸び、
前記貯水タンク（５００）は前記据付板（４０２）に隣接し、
前記据付板（４０２）は高さ方向に配列された複数の据付位置を有し、
前記コンクリート・ポンプ・ユニットの前記貯水タンク（５００）は前記据付板（４０２）の前記据付位置の１つに選択的かつ固定的に取り付けられている
請求項５に記載の据付構造体。
【請求項８】
前記据付板（４０２）が位置する平面（Ｎ）と前記一対のコンクリート配送シリンダ（２００）の前記中心軸によって規定される前記平面（Ｍ）とが成す夾角βが６５°から８５°である
請求項７に記載の据付構造体。
【請求項９】
前記据付板が弾性板である
請求項７に記載の据付構造体。
【請求項１０】
前記据付板（４０２）と前記コンクリート・ポンプ・ユニットの前記貯水タンク（５００）との間にクッションパッドが配置される
請求項７に記載の据付構造体。
【請求項１１】
請求項１から１０のいずれか１項に記載の前記コンクリート・ポンプ・ユニットの据付構造体を備えた
コンクリートポンプ装置。
【発明の詳細な説明】
【技術分野】
【０００１】
本発明はコンクリート輸送分野に関し、特にコンクリート・ポンプ・ユニットの据付構造体、およびコンクリート・ポンプ・ユニットの据付構造体を備えたコンクリートポンプ装置に関する。
【背景技術】
【０００２】
コンクリート・ポンプ・ユニットの動作パラメータは通常、そのコンクリート・ポンプ・ユニットが使用される動作条件に順応できることが必要である。  
しかし、実際の稼動過程では動作条件が常に一定であるとは限らない。  
むしろ、さまざまな要因によって変化しうる。  
変化後の動作条件がコンクリート・ポンプ・ユニットの使用可能範囲内に依然としてある場合は、コンクリート・ポンプ・ユニットをそのまま使用することができる。  
しかし、変化後の動作条件がコンクリート・ポンプ・ユニットの使用可能範囲を超える場合、プロジェクトの作業品質は影響を受けることになる。
【０００３】
具体的には、送出されるコンクリートの粘性が高すぎる（例えば、高強度コンクリートを送出する必要がある）場合、コンクリート・ポンプ・ユニットがコンクリートポンプ作業を問題なく実行することは難しいだろう。  
あるいは、高いポンプ効率を備えたコンクリート・ポンプ・ユニットを必要とする特定の動作条件下で低出力のコンクリート・ポンプ・ユニットを使用すれば、低出力のコンクリート・ポンプ・ユニットを高出力のコンクリート・ポンプ・ユニットに替えないかぎり、それは困難な仕事になる。
【０００４】
例えば、既製鋼管杭に関するコンクリート注入作業において、鋼管杭の鋳型の上部と下部をあらかじめ閉鎖しておき、コンクリートポンプによってコンクリート配送管から閉じた鋼管杭の鋳型の空洞部にコンクリートを送り込めば、既製鋼管杭の自動製造を実現することができる。  
しかしながら、ＰＨＣ鋼管杭は高強度コンクリート（例えばＣ８０）を必要とするが、これは高粘性で流動性が低いため、かかる注入作業に使用される既存のコンクリート・ポンプ・ユニットは高いポンプ効率を有する必要がある。
【０００５】
したがって、コンクリート・ポンプ・ユニットにおいて高いポンプ効率を得る方法が、この分野で解決するべき技術的問題のひとつとなっている。
【先行技術文献】
【特許文献】
【０００６】
【非特許文献１】「Ｅｎｇｉｎｅｅｒｉｎｇ  Ｍａｃｈｉｎｅｒｙ」（Ｌｉ  Ｑｉｙｕｅ編、Ｃｅｎｔｒａｌ  Ｓｏｕｔｈ  Ｕｎｉｖｅｒｓｉｔｙ  Ｐｒｅｓｓ、初版、第一刷、２００９年１０月）
【発明の概要】
【発明が解決しようとする課題】
【０００７】
本発明は、コンクリート・ポンプ・ユニットが高いポンプ効率を有することができる、コンクリート・ポンプ・ユニットの据付構造体を提供することを目的とする。  
本発明はまた、コンクリート・ポンプ・ユニットの据付構造体を備えたコンクリートポンプ装置を提供することをもうひとつの目的とする。
【課題を解決するための手段】
【０００８】
上記の目的を達成するため、本発明はコンクリート・ポンプ・ユニットの据付構造体を提供する。  
前記コンクリート・ポンプ・ユニットは、一対の液圧シリンダと、前記一対の液圧シリンダに接続された一対のコンクリート配送シリンダと、前記一対のコンクリート配送シリンダの吐出端に位置するホッパとを備える。  
前記据付構造体は、前記コンクリート・ポンプ・ユニットを取り付けるための基礎フレームを備える。  
前記コンクリート・ポンプ・ユニットは、前記コンクリート・ポンプ・ユニットが前記一対の液圧シリンダから前記一対のコンクリート配送シリンダの前記吐出端まで次第に高くなるように配置される。
【０００９】
好ましくは、前記一対のコンクリート配送シリンダの中心軸によって規定される平面Ｍと、前記基礎フレームの長手方向Ｓとが成す夾角αは２°から４５°である。
【００１０】
より好ましくは、前記一対のコンクリート配送シリンダの前記中心軸によって規定される前記平面Ｍと、前記基礎フレームの前記長手方向Ｓとが成す前記夾角αは５°から２０°である。
【００１１】
好ましくは、前記据付構造体は角度調節機構をさらに備え、前記コンクリート・ポンプ・ユニットは、前記一対のコンクリート配送シリンダの前記中心軸によって規定される前記平面Ｍと、前記基礎フレームの前記長手方向Ｓとが成す前記夾角αが調節可能となるように、前記角度調節機構を介して前記基礎フレームに取り付けられる。
【００１２】
好ましくは、前記角度調節機構はヒンジピンと制限装置とを備え、前記一対のコンクリート配送シリンダの前記吐出端は前記ヒンジピンを介して前記基礎フレームに蝶番式に取り付けられ、前記制限装置は、前記コンクリート・ポンプ・ユニットと前記基礎フレームの互いに対する位置を制限するように前記コンクリート・ポンプ・ユニットと前記基礎フレームとの間に接続される。
【００１３】
好ましくは、前記制限装置は前記基礎フレームに蝶番式に取り付けられた調節シリンダを備え、前記調節シリンダはピストン棒を有し、前記ピストン棒の一端は前記コンクリート・ポンプ・ユニットに蝶番式に取り付けられている。
【００１４】
好ましくは、前記コンクリート・ポンプ・ユニットは前記一対の液圧シリンダと前記一対のコンクリート配送シリンダとの間に設置される貯水タンクを備え、前記制限装置は前記基礎フレームに固定された据付板を備え、前記コンクリート・ポンプ・ユニットは前記据付板を通って伸び、前記貯水タンクは前記据付板に隣接し、前記据付板はその高さ方向に配列する複数の据付位置を有し、前記コンクリート・ポンプ・ユニットの前記貯水タンクは前記据付板の前記据付位置の１つに選択的かつ固定的に取り付けられている。
【００１５】
好ましくは、前記据付板が位置する平面Ｎと前記一対のコンクリート配送シリンダの前記中心軸によって規定される前記平面Ｍとが成す夾角βは６５°から８５°である。
【００１６】
好ましくは、前記据付板は弾性板である。
【００１７】
好ましくは、前記据付板と前記コンクリート・ポンプ・ユニットの前記貯水タンクとの間にクッションパッドが配置される。
【００１８】
本発明は、本発明において提供される前記コンクリート・ポンプ・ユニットの据付構造体を備えたコンクリートポンプ装置をさらに提供する。
【００１９】
粘性の高いコンクリートに用いられるコンクリート・ポンプ・ユニットにおいてポンプ効率を改善するため、本発明者は多くの理論的研究およびフィールドトライアルを実施し、次のことを発見した。  
粘性の高いコンクリートの場合、コンクリート・ポンプ・ユニットのポンプ効率が制限される主な原因は、コンクリートの粘性が高いため、コンクリート・ポンプ・ユニットを用いたコンクリート送出過程においてコンクリートをコンクリート配送シリンダにうまく供給できないことにある。  
言い換えると、コンクリート配送シリンダへのコンクリートの吸引効率は高い粘性によって悪影響を受ける。
【００２０】
従来、コンクリート・ポンプ・ユニットは通常、水平に、またはいわゆる「正の傾斜」で配置される。
【００２１】
水平配置とは、コンクリート・ポンプ・ユニットの長手方向が水平方向と平行になる配置を言う。  
かかる配置にあるコンクリート・ポンプ・ユニットでは、コンクリートがコンクリートシリンダに供給されると、コンクリートは主にコンクリート配送シリンダの吸引力のもとで該当するコンクリート配送シリンダへと吸い込まれる。
【００２２】
いわゆる「正の傾斜」配置は、ホッパが取り付けられるコンクリート・ポンプ・ユニットの一端が低位置にある一方で、コンクリート・ポンプ・ユニットの他端が高位置にある配置を言う。  
かかる配置のコンクリート・ポンプ・ユニットでは、該当するコンクリート配送シリンダにコンクリートを供給するには、コンクリート配送シリンダの吸引力がコンクリートの重力の一部を相殺することが必要である。
【００２３】
上記の発見に基づき、本発明者は、本発明の技術スキームおよび好適な実施形態を主にコンクリート・ポンプ・ユニットの配置に関連して提示する。
【００２４】
本発明の技術スキームでは、コンクリート・ポンプ・ユニットが一対の液圧シリンダから一対のコンクリート配送シリンダの吐出端まで次第に高くなるように基礎フレーム上に配置されるため、ホッパ内のコンクリートはコンクリート配送シリンダの吸引力のもとで該当するコンクリート配送シリンダへと吸い込まれるが、コンクリートがコンクリートシリンダに入るときにはコンクリート・ポンプ・ユニットの配置によってもたらされるそれ自身の重力をも利用することができる。  
そのため、コンクリートは該当するコンクリート配送シリンダへとより容易に入ることができ、コンクリート配送シリンダへのコンクリートの吸引効率が向上する。  
こうして本発明の目的が達成される。  
吸引効率の向上という点において、本発明の技術スキームが上記の水平配置および「正の傾斜」配置に対して大きな利点を有することは明らかである。
【００２５】
本発明の他の特徴および利点は、以下の実施形態においてさらに詳しく説明する。
【００２６】
本発明のさらなる理解を容易にするためにここに添付の図面を提供する。  
添付の図面は本文書の一部である。  
添付の図面は、本発明の説明のために下記の実施形態と合わせて用いるものだが、本発明を限定するものと理解してはならない。  
図面は以下のとおりである。
【図面の簡単な説明】
【００２７】
【図１】本発明の好適な実施形態によるコンクリート・ポンプ・ユニットの据付構造体の概略図である。
【図２】図１の領域Ｉの部分拡大図である。
【図３】貯水タンクと基礎フレームの接続部の概略図である。
【発明を実施するための形態】
【００２８】
以下、本発明の実施形態について添付の図面を参照しながら詳細に説明する。  
ここに説明する実施形態は本発明を説明するために提供するだけであり、本発明を限定するものと見なしてはならないことを理解するべきである。
【００２９】
図１に示すように、本発明はコンクリート・ポンプ・ユニットの据付構造体を提供する。  
コンクリート・ポンプ・ユニットは一対の液圧シリンダ１００と、一対の液圧シリンダ１００に接続された一対のコンクリート配送シリンダ２００と、一対のコンクリート配送シリンダ２００の吐出端に位置するホッパ３００とを備える。  
据付構造体は、コンクリート・ポンプ・ユニットを取り付けるための基礎フレーム４００を備える。  
コンクリート・ポンプ・ユニットは、コンクリート・ポンプ・ユニットが一対の液圧シリンダ１００から一対のコンクリート配送シリンダ２００の吐出端まで次第に高くなるように配置される。  
ここで、「高さ」という語は、コンクリート・ポンプ・ユニットが稼動状態にあるときに、地面に対する（コンクリート・ポンプ・トラック上の）コンクリート・ポンプ・ユニットの位置として定義される。
【００３０】
コンクリート・ポンプ・ユニットは、広く使用される、液圧ピストンを備えた複式コンクリートポンプでありうる。  
液圧ピストンを備えたかかる複式コンクリートポンプの構造的形態および動作原理については、非特許文献１の第９章に記載されるコンクリートポンプの説明を参照されたい。
【００３１】
本発明の技術スキームでは、コンクリート・ポンプ・ユニットに関する配置および／または据付構造体が主に改善される。  
したがって、コンクリート・ポンプ・ユニットの説明は簡略化もしくは省略する。  
一方、コンクリート・ポンプ・ユニットに関する配置および／または据付構造体に密接に関係する技術的特徴を詳しく取り上げる。
【００３２】
基礎フレーム４００は、コンクリート・ポンプ・ユニットのための据付台を提供する。  
基礎フレーム４００はさまざまな形態でありうる。  
例えば、基礎フレーム４００は地面に固定される基台、もしくは輸送車輪を備える基台、あるいは車両上に配置される基台でありうる。
【００３３】
本発明の技術スキームにより、コンクリート・ポンプ・ユニットは一対の液圧シリンダから一対のコンクリート配送シリンダの吐出端まで次第に高くなるように基礎フレーム上に配置されるため、ホッパ内のコンクリートはコンクリート配送シリンダの吸引力のもとで該当するコンクリート配送シリンダへと吸い込まれるが、コンクリートがコンクリート配送シリンダに入るときにはコンクリート・ポンプ・ユニットの配置によってもたらされるそれ自身の重力をも利用することができる。  
そのため、コンクリートは該当するコンクリート配送シリンダへとより容易に入ることができ、それによって、コンクリート配送シリンダへのコンクリートの吸引効率が向上する。
【００３４】
通常、一対の液圧シリンダは一対のコンクリート配送シリンダと同軸に配置される。  
そのため、一方の液圧シリンダとそれに対応するコンクリート配送シリンダとは共通の中心軸を有するとともに、他方の液圧シリンダと他方のコンクリート配送シリンダとは別の共通の中心軸を有し、かつ２本の中心軸は互いに平行である。  
そのため、一対のコンクリート配送シリンダ２００の中心軸は図１に示すように平面Ｍを規定する。
【００３５】
本発明におけるコンクリート・ポンプ・ユニットの配置では、図１に示すように、一対のコンクリート配送シリンダ２００の中心軸によって規定される平面Ｍと基礎フレーム４００の長手方向Ｓ（通常、基礎フレーム４００の長手方向Ｓは据付状態において水平方向に平行である）とが成す夾角αは、異なる動作条件下での要求事項およびコンクリート・ポンプ・ユニットの動作パラメータに適応するように、２°から４５°である。
【００３６】
より好ましくは、一対のコンクリート配送シリンダ２００の中心軸によって規定される平面Ｍと基礎フレーム４００の長手方向Ｓとが成す夾角αは５°から２０°である。
【００３７】
上述のように、コンクリート・ポンプ・ユニットは上記レイアウトで基礎フレーム４００に取り付けられる。  
コンクリート・ポンプ・ユニットの位置は基礎フレーム４００に対して固定できる（例えば、コンクリート・ポンプ・ユニットは、夾角αが固定されるようにボルトを用いて基礎フレームに固定的に接続できる）。  
しかしながら、好ましくは、異なる動作条件のもとで要求事項を満たし、コンクリート・ポンプ・ユニットがそれによって基礎フレーム４００に対して適応可能な相対位置関係を有するように、コンクリート・ポンプ・ユニットの据付構造体は角度調節機構をさらに含む。  
コンクリート・ポンプ・ユニットは、一対のコンクリート配送シリンダ２００の中心軸によって規定される平面Ｍと基礎フレーム４００の長手方向Ｓとが成す夾角αが調節可能となるように、その角度調節機構を介して基礎フレーム４００に取り付けられる。  
それにより、コンクリート・ポンプ・ユニットは異なる動作条件に適応することができる。  
具体的には、夾角αが大きいほど吸引効率の向上幅が大きくなる。
【００３８】
角度調節機構はさまざまな形態でありうる。  
例えば、コンクリート・ポンプ・ユニットは基礎フレーム４００に対して回転可能な基台の上に配置されうる。  
あるいは、コンクリート・ポンプ・ユニットは基礎フレーム４００に対して直接、蝶番式に取り付けられうる。
【００３９】
基礎フレーム４００に対するコンクリート・ポンプ・ユニットの相対位置をより正確に維持するため、好ましくは、角度調節機構はヒンジピン４０１（図２に示す）と制限装置とを備え、一対のコンクリート配送シリンダ２００の吐出端はヒンジピン４０１を介して基礎フレーム４００に蝶番式に取り付けられ、制限装置は基礎フレーム４００に対するコンクリート・ポンプ・ユニットの相対位置を制限するようにコンクリート・ポンプ・ユニットと基礎フレーム４００との間に接続される。
【００４０】
コンクリート・ポンプ・ユニットは、一対のコンクリート配送シリンダ２００の吐出端においてヒンジピン４０１を介して基礎フレーム４００に蝶番式に取り付けられる。  
そのため、コンクリート・ポンプ・ユニット全体がヒンジピン４０１の周りを回転可能であり、それによってコンクリート・ポンプ・ユニットの位置は基礎フレーム４００に対して調節可能である。  
したがって、夾角αは調節可能である。  
基礎フレーム４００に対するコンクリート・ポンプ・ユニットの相対位置を制限する（および維持する）ため、ならびに稼働中にコンクリート・ポンプ・ユニットを安定的に維持するため、制限装置は基礎フレーム４００とコンクリート・ポンプ・ユニットの間に接続される。
【００４１】
このように、特定の動作条件において、初めにコンクリート・ポンプ・ユニットは基礎フレーム４００に対して予め設定された相対位置まで回転可能である（すなわち、夾角αがある予め設定された値に達する）。  
その後、コンクリート・ポンプ・ユニットは制限装置によってその相対位置に保持でき、それによってコンクリート・ポンプ・ユニットはポンプ作業を行える状態になる。
【００４２】
制限装置はさまざまな形態でありうる。  
例えば、制限装置は、基礎フレーム上に配置された複数の固定用リング、およびコンクリート・ポンプ・ユニットに配置された結合フックを備えうる。  
基礎フレーム４００に対するコンクリート・ポンプ・ユニットの位置に応じて結合フックを固定用リングの１つと結合することで、保持目的を達成することができる。
【００４３】
別の例において、制限装置は、基礎フレーム４００に蝶番式に取り付けられた調節シリンダを備えうる。  
調節シリンダはピストン棒を有し、ピストン棒の一端はコンクリート・ポンプ・ユニットに蝶番式に取り付けられている。  
調節シリンダは液圧シリンダまたは空気シリンダでありうる。
【００４４】
別の例において、図１と図３に示すように、コンクリート・ポンプ・ユニットは一対の液圧シリンダ１００と一対のコンクリート配送シリンダ２００との間に設置される貯水タンク５００を備える。  
制限装置は、基礎フレーム４００に固定された据付板４０２を備え、コンクリート・ポンプ・ユニットは据付板４０２を通って伸び、貯水タンク５００は据付板４０２に隣接する。  
据付板４０２はその高さ方向に配列された複数の据付位置を有し（すなわち、据付位置はそれぞれ異なる高さにある）、コンクリート・ポンプ・ユニットの貯水タンク５００は据付板４００の据付位置の１つに選択的かつ固定的に取り付けられている。
【００４５】
据付板４０２上の据付位置のうちの異なる据付位置に貯水タンク５００を取り付けることにより、コンクリート・ポンプ・ユニットは基礎フレーム４００に対して異なる位置にあることができる。  
据付板４０２は、ボルト接続またはピン接続などのさまざまな手段によって貯水タンク５００に接続できる。
【００４６】
コンクリート・ポンプ・ユニットの稼働中は騒音と振動が大きい。  
コンクリート・ポンプ・ユニットの衝撃と振動を低減し、それによって騒音を低減してコンクリート・ポンプ・ユニットを保護するため、特にコンクリート・ポンプ・ユニットの長手方向における往復運動によって生じる衝撃を減衰させるため、好ましくは、据付板４０２が位置する平面Ｎと一対のコンクリート配送シリンダ２００の中心軸によって規定される平面Ｍとが成す夾角βは、図１に示すように、６５°から８５°である。
【００４７】
据付板４０２がある平面Ｎと一対のコンクリートシリンダ２００の中心軸によって規定される平面Ｍとが成す夾角βを６５°から８５°に設計することにより、据付板４０２は、基礎フレーム４００におけるコンクリート・ポンプ・ユニットの据付位置に対する要求事項を満たすことができ、かつコンクリート・ポンプ・ユニットの長手方向における往復運動によってポンプ動作中に生じる振動および／または衝撃に耐えることができる（例えば、その柔軟性を利用し、据付板４０２はコンクリート・ポンプ・ユニットのポンプ動作に合わせて動く（例えば振動する）ことができ、それによって振動および／または衝撃を減衰する、もしくはそれに耐える）。
【００４８】
より好ましくは、据付板４０２がある平面Ｎと一対のコンクリートシリンダ２００の中心軸によって規定される平面Ｍとが成す夾角βは７０°から８０°である。
【００４９】
好ましくは、据付板４０２が確実に高い柔軟性を有するよう、据付板４０２は薄く、それによって据付板４０２は減衰効果をもつことができる。
【００５０】
さらに、よりよい減衰効果を実現するため、据付板４０２は好ましくは弾性板である。  
例えば、据付板４０２はゴム板または弾性プラスチック板などの弾性材料で製造しうる。  
当然ながら、据付板４０２は減衰機能以外に、コンクリート・ポンプ・ユニットによって生じる荷重に耐えるだけの十分な構造的強度を有することが必要である。  
当業者は据付板４０２のための具体的な構造および材料を具体的な動作条件に従って設計および選択することができる。
【００５１】
さらに、好ましくは、同じ衝撃減衰効果が実現されるよう、据付板４０２とコンクリート・ポンプ・ユニットの貯水タンク５００の間にクッションパッドが配置される。  
クッションパッドは、ゴムパッドまたはプラスチックパッドなどでありうる。
【００５２】
本発明において提供されるコンクリート・ポンプ・ユニットの据付構造体の技術的特徴を上で説明した。  
さらに、本発明は、本発明において提供されるコンクリート・ポンプ・ユニットの据付構造体を備えるコンクリートポンプ装置を提供する。
【００５３】
例えば、コンクリートポンプ装置は、定置型コンクリートポンプ（基礎フレーム４００が定置型）、トラック搭載型のコンクリートポンプ（基礎フレーム４００はポンプトラックのフレームに固定的に取り付けられるか、またはポンプトラックのフレームが据付構造体の基礎フレーム４００として直接使用される）、またはコンクリート・ポンプ・トラックでありうる。
【００５４】
本発明のいくつかの好適な実施形態について添付の図面を参照しながら説明してきたが、本発明はこれらの実施形態の詳細に限定されるものではない。  
当業者は本発明の精神を逸脱することなく本発明の技術スキームに対して改変および変形を行うことができる。  
しかしながら、かかる改変および変形はすべて本発明の保護領域に属するとみなすものとする。
【００５５】
さらに、上記実施形態において記載した技術的特徴は、組み合わせにおいて技術的特徴の間に矛盾が起きないかぎり、特許請求の範囲に規定される標準的な関係に限定されることなく、適切に組み合わせ可能であることを理解するべきである。  
無用な反復を避けるため、かかる組み合わせは本発明の明細書には記載していない。
【００５６】
さらに、組み合わせが本発明の着想および精神から逸脱しないかぎり、本発明の異なる実施形態を必要に応じて自由に組み合わせることができる。  
しかし、かかる組み合わせも本発明において開示される範囲に属するとみなすものとする。
【図１】
2015502477.tif 000003
【図２】
2015502477.tif 000004
【図３】
2015502477.tif 000005
【国際調査報告】
2015502477.tif 000006
2015502477.tif 000007
2015502477.tif 000008
2015502477.tif 000009
2015502477.tif 000010
2015502477.tif 000011
2015502477.tif 000012
2015502477.tif 000013